(57)【要約】      （修正有）【課題】無線端末が、移動速度が速いか遅いかに基づいて半径の大きいセル又は半径の小さいセルを選択するために、当該無線端末の実装を変更することなく、ハンドオーバの発生を低減する通信システムを提供する。【解決手段】複数の基地局２Ａ、２Ｂと、前記複数の基地局のうち、第１の優先度に基づいて選択された基地局と接続可能な端末１と、を備え、前記複数の基地局の少なくとも１つは、所定の条件を満たしたことに応じて、前記第１の優先度とは異なる第２の優先度に基づいて、前記複数の基地局のうち前記端末１に接続する基地局を選択する。【選択図】図４
2017038155.tif 000002
【特許請求の範囲】
【請求項１】
複数の基地局と、
前記複数の基地局のうち、第１の優先度に基づいて選択された基地局と接続可能な端末と、を備え、
前記複数の基地局の少なくとも１つは、所定の条件を満たしたことに応じて、前記第１の優先度とは異なる第２の優先度に基づいて、前記複数の基地局のうち前記端末１に接続する基地局を選択する
ことを特徴とする通信システム。
【請求項２】
前記所定の条件は、前記端末の移動速度又は加速度が所定の閾値以上であること
を特徴とする請求項１の通信システム。
【請求項３】
前記所定の条件は、所定の時間内における前記端末のハンドオーバの回数が所定の回数以上であること
を特徴とする請求項１又は２の通信システム。
【請求項４】
前記第２の優先度は、前記複数の基地局のうち、セル半径が相対的に大きい基地局が高優先である
ことを特徴とする請求項１乃至３のいずれかの通信システム。
【請求項５】
前記第２の優先度は、前記端末と接続可能な基地局のうち、前記端末との距離が相対的に近い基地局が高優先である
ことを特徴とする請求項１乃至４のいずれかの通信システム。
【請求項６】
前記第１の優先度は、前記端末における受信電力又は受信品質が相対的に高い基地局が高優先である
ことを特徴とする請求項１乃至５のいずれかの通信システム。
【請求項７】
端末と接続可能な複数の基地局と、
前記複数の基地局のうち、第１の優先度に基づいて選択された基地局と前記端末とを接続させる通信装置と、を含み、
前記通信装置は、所定の条件を満たしたことに応じて、前記第１の優先度とは異なる第２の優先度に基づいて、前記複数の基地局のうち前記端末１に接続させる基地局を選択する
ことを特徴とする通信システム。
【請求項８】
前記所定の条件は、前記端末の移動速度又は加速度が所定の閾値以上であること
を特徴とする請求項７の通信システム。
【請求項９】
前記第１の優先度は、前記端末における受信電力又は受信品質が相対的に高い基地局が高優先であり、
前記第２の優先度は、前記複数の基地局のうち、セル半径が相対的に大きい基地局が高優先である
ことを特徴とする請求項７又は８の通信システム。
【請求項１０】
複数の基地局のいずれかと接続可能な端末から制御信号を受信可能な通信部と、
前記制御信号を受信したことに応じて、前記複数の基地局のうち、第１の優先度に基づいて選択された基地局と前記端末とを接続させる制御部と、を備え、
前記制御部は、所定の条件を満たしたことに応じて、前記第１の優先度とは異なる第２の優先度に基づいて、前記複数の基地局のうち前記端末１に接続する基地局を選択する
ことを特徴とする基地局。
【請求項１１】
前記所定の条件は、前記端末の移動速度又は加速度が所定の閾値以上であること
を特徴とする請求項１０の基地局。
【請求項１２】
前記所定の条件は、所定の時間内における前記端末のハンドオーバの回数が所定の回数以上であること
を特徴とする請求項１０又は１１の基地局。
【請求項１３】
前記第２の優先度は、前記複数の基地局のうち、セル半径が相対的に大きい基地局が高優先である
ことを特徴とする請求項１０乃至１２のいずれかの基地局。
【請求項１４】
前記第２の優先度は、前記端末と接続可能な基地局のうち、前記端末との距離が相対的に近い基地局が高優先である
ことを特徴とする請求項１０乃至１３のいずれかの基地局。
【請求項１５】
前記第１の優先度は、前記端末における受信電力又は受信品質が相対的に高い基地局が高優先である
ことを特徴とする請求項１０乃至１４のいずれかの基地局。
【請求項１６】
複数の基地局のいずれかを介して端末から制御信号を受信可能な信号処理部と、
前記制御信号を受信したことに応じて、前記複数の基地局のうち、第１の優先度に基づいて選択された基地局と前記端末とを接続させる制御部と、を備え、
前記制御部は、所定の条件を満たしたことに応じて、前記第１の優先度とは異なる第２の優先度に基づいて、前記複数の基地局のうち前記端末１に接続する基地局を選択する
ことを特徴とする通信装置。
【請求項１７】
前記所定の条件は、前記端末の移動速度又は加速度が所定の閾値以上であること
を特徴とする請求項１６の通信装置。
【請求項１８】
前記第１の優先度は、前記端末における受信電力又は受信品質が相対的に高い基地局が高優先であり、
前記第２の優先度は、前記複数の基地局のうち、セル半径が相対的に大きい基地局が高優先である
ことを特徴とする請求項１６又は１７の通信装置。
【請求項１９】
複数の基地局のいずれかと接続可能な端末から制御信号を受信するステップと、
前記制御信号を受信したことに応じて、前記複数の基地局のうち、第１の優先度に基づいて選択された基地局と前記端末とを接続させるステップと、
所定の条件を満たしたことに応じて、前記第１の優先度とは異なる第２の優先度に基づいて、前記複数の基地局のうち前記端末１に接続する基地局を選択するステップと
を含むことを特徴とする通信方法。
【請求項２０】
前記所定の条件は、前記端末の移動速度又は加速度が所定の閾値以上であること
を特徴とする請求項１９の通信方法。
【請求項２１】
前記所定の条件は、所定の時間内における前記端末のハンドオーバの回数が所定の回数以上であること
を特徴とする請求項１９又は２０の通信方法。
【請求項２２】
前記第２の優先度は、前記複数の基地局のうち、セル半径が相対的に大きい基地局が高優先である
ことを特徴とする請求項１９乃至２１のいずれかの通信方法。
【請求項２３】
前記第２の優先度は、前記端末と接続可能な基地局のうち、前記端末との距離が相対的に近い基地局が高優先である
ことを特徴とする請求項１９乃至２２のいずれかの通信方法。
【請求項２４】
前記第１の優先度は、前記端末における受信電力又は受信品質が相対的に高い基地局が高優先である
ことを特徴とする請求項１９乃至２３のいずれかの通信方法。
【請求項２５】
複数の基地局のいずれかと接続可能な端末から制御信号を受信する処理と、
前記制御信号を受信したことに応じて、前記複数の基地局のうち、第１の優先度に基づいて選択された基地局と前記端末とを接続させる処理と、
所定の条件を満たしたことに応じて、前記第１の優先度とは異なる第２の優先度に基づいて、前記複数の基地局のうち前記端末１に接続する基地局を選択する処理と
をコンピュータに実行させるプログラム。
【発明の詳細な説明】
【技術分野】
【０００１】
本発明は、通信システム、基地局、通信装置、通信方法及びプログラムに関する。
【背景技術】
【０００２】
近年、スマートフォンやタブレット端末の普及や、動画等の多量のデータの送受信により、モバイル通信のデータトラヒックが著しく増加している。トラヒック増大への対策の一つとして、高送信電力で広い範囲をカバーする基地局（以下、「マクロセル基地局」）に加えて、低送信電力で狭い範囲をカバーする基地局（以下、「スモールセル基地局」）を局所的に多数設置し、通信容量を増大させる基地局設置方式がある。ここで、スモールセル基地局には、ピコ基地局やフェムトセル基地局等がある。なお、基地局の通信エリアはセルと呼ばれる。
【０００３】
無線端末は、基地局の通信エリアであるセルの範囲や、基地局からの信号の受信品質などに応じて、マクロセル基地局とスモールセル基地局との間でハンドオーバを実行する。
【０００４】
しかしながら、移動端末の移動状況によっては、当該移動端末が、マクロセル基地局とスモールセル基地局との間で頻繁にハンドオーバを実行してしまう可能性がある。
【０００５】
これに対して、特許文献１には、移動端末がセルを頻繁に変更しすることによって、頻繁に行われるセルアップデートにより、移動端末の電力消費及び無線リソースの浪費が発生することを防止する技術が開示されている。具体的には、特許文献１には、速度の速い移動端末が半径の大きいセルを選択し、速度の遅い移動端末が半径の小さいセルを選択することにより、移動端末を効率的に動作させることが開示されている。
【先行技術文献】
【特許文献】
【０００６】
【特許文献１】特表２０１１−５１５９４１号公報
【発明の概要】
【発明が解決しようとする課題】
【０００７】
しかしながら、特許文献１に開示された技術では、無線端末が、移動速度が速いか遅いかに基づいて、半径の大きいセル又は半径の小さいセルを選択するための機能を備える必要があり、当該無線端末の実装に変更を加えなければならない。
【０００８】
本発明の目的は、無線端末の実装を変更することなく、ハンドオーバの発生を低減することが可能な通信システム、基地局、通信装置、通信方法及びプログラムを提供することである。
【課題を解決するための手段】
【０００９】
本発明の一態様の通信システムは、複数の基地局と、前記複数の基地局のうち、第１の優先度に基づいて選択された基地局と接続可能な端末と、を備え、前記複数の基地局の少なくとも１つは、所定の条件を満たしたことに応じて、前記第１の優先度とは異なる第２の優先度に基づいて、前記複数の基地局のうち前記端末１に接続する基地局を選択することを特徴とする。
【００１０】
本発明の一態様の通信システムは、端末と接続可能な複数の基地局と、前記複数の基地局のうち、第１の優先度に基づいて選択された基地局と前記端末とを接続させる通信装置と、を含み、前記通信装置は、所定の条件を満たしたことに応じて、前記第１の優先度とは異なる第２の優先度に基づいて、前記複数の基地局のうち前記端末１に接続させる基地局を選択することを特徴とする。
【００１１】
本発明の一態様の基地局は、複数の基地局のいずれかと接続可能な端末から制御信号を受信可能な通信部と、前記制御信号を受信したことに応じて、前記複数の基地局のうち、第１の優先度に基づいて選択された基地局と前記端末とを接続させる制御部と、を備え、前記制御部は、所定の条件を満たしたことに応じて、前記第１の優先度とは異なる第２の優先度に基づいて、前記複数の基地局のうち前記端末１に接続する基地局を選択することを特徴とする。
【００１２】
本発明の一態様の通信装置は、複数の基地局のいずれかを介して端末から制御信号を受信可能な信号処理部と、前記制御信号を受信したことに応じて、前記複数の基地局のうち、第１の優先度に基づいて選択された基地局と前記端末とを接続させる制御部と、を備え、前記制御部は、所定の条件を満たしたことに応じて、前記第１の優先度とは異なる第２の優先度に基づいて、前記複数の基地局のうち前記端末１に接続する基地局を選択することを特徴とする。
【００１３】
本発明の一態様の通信方法は、複数の基地局のいずれかと接続可能な端末から制御信号を受信するステップと、前記制御信号を受信したことに応じて、前記複数の基地局のうち、第１の優先度に基づいて選択された基地局と前記端末とを接続させるステップと、所定の条件を満たしたことに応じて、前記第１の優先度とは異なる第２の優先度に基づいて、前記複数の基地局のうち前記端末１に接続する基地局を選択するステップとを含むことを特徴とする。
【００１４】
本発明の一態様のプログラムは、複数の基地局のいずれかと接続可能な端末から制御信号を受信する処理と、前記制御信号を受信したことに応じて、前記複数の基地局のうち、第１の優先度に基づいて選択された基地局と前記端末とを接続させる処理と、所定の条件を満たしたことに応じて、前記第１の優先度とは異なる第２の優先度に基づいて、前記複数の基地局のうち前記端末１に接続する基地局を選択する処理とをコンピュータに実行させることを特徴とする。
【発明の効果】
【００１５】
本発明に係る通信システム、基地局、通信装置、通信方法及びプログラムは、無線端末の実装を変更することなく、ハンドオーバの発生を低減することができる。
【図面の簡単な説明】
【００１６】
【図１】第１の実施形態の通信システムの構成例である。
【図２】第１の実施形態の端末１の構成例である。
【図３】第１の実施形態の基地局２の構成例である。
【図４】第１の実施形態における、端末１と基地局２との接続関係の構成例である。
【図５】第１の実施形態における、端末１と基地局２との接続関係の他の構成例である。
【図６】第１の実施形態の基地局２の動作例を示すフローチャートである。
【図７】第１の実施形態のＭＭＥ５の構成例である。
【図８】第１の実施形態のＭＭＥ５の動作例を示すフローチャートである。
【図９】第２の実施形態における、端末１と基地局２との接続関係の構成例である。
【図１０】第２の実施形態の基地局２の動作例を示すフローチャートである。
【図１１】第２の実施形態の通信システムの動作例を示すシーケンス図である。
【図１２】第２の実施形態の通信システムの他の動作例を示すシーケンス図である。
【図１３】第２の実施形態の通信システムの他の動作例を示すシーケンス図である。
【図１４】第２の実施形態の通信システムの他の動作例を示すシーケンス図である。
【図１５】第２の実施形態の基地局２の動作例を示すフローチャートである。
【図１６】第３の実施形態における、端末１と基地局２との接続関係の構成例である。
【図１７】第３の実施形態における、端末１と基地局２との接続関係の他の構成例である。
【図１８】第３の実施形態の基地局２の動作例を示すフローチャートである。
【図１９】第４の実施形態における、端末１と基地局２との接続関係の構成例である。
【図２０】第４の実施形態の基地局２の動作例を示すフローチャートである。
【図２１】第５の実施形態における、端末１と基地局２との接続関係の構成例である。
【図２２】第５の実施形態の基地局２の動作例を示すフローチャートである。
【発明を実施するための形態】
【００１７】
以下、本発発明の実施形態及び実施例について、図面を参照して説明する。各実施形態及び各実施例は、例示であり、本発明は各実施形態及び各実施例に限定されるものではない。なお、この概要に付記した図面参照符号は、理解を助けるための一例として各要素に便宜上付記したものであり、この概要の記載はなんらの限定を意図するものではない。
【００１８】
＜第１の実施形態＞
本発明の第１の実施形態について、図面を参照して説明する。
【００１９】
図１は、第１の実施形態の通信システムの構成例である。図１はＬＴＥ（Ｌｏｎｇ  Ｔｅｒｍ  Ｅｖｏｌｕｔｉｏｎ）の通信システムを例示するが、本発明の通信システムは図１の例に限定されない。例えば、本発明は、ＧＰＲＳ（Ｇｅｎｅｒａｌ  Ｐａｃｋｅｔ  Ｒａｄｉｏ  Ｓｅｒｖｉｃｅ）、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等にも適用可能である。
【００２０】
図１に例示するように、第１の実施形態の通信システムは、端末１と、基地局２（例えば、マクロセル基地局２Ａおよびスモールセル基地局２Ｂ）と、当該端末１に通信サービスを提供するための複数のネットワークノード（例えば、ＳＧＷ３、ＰＧＷ４、ＭＭＥ５）を含む。各ネットワークノードは、例えば、所定の通信機能を有する通信装置である。
【００２１】
端末１は、例えば、基地局２と接続し、ＳＧＷ３とＰＧＷ４を経由して、インターネット等のネットワークにアクセスする。端末１は、例えば、携帯電話、ＰＣ（Ｐｅｒｓｏｎａｌ  Ｃｏｍｐｕｔｅｒ）、モバイルルータ、スマートデバイス（例えば、家庭の消費電力をモニタするスマートメータ、スマートテレビ、ウェアラブル端末）、Ｍ２Ｍ（Ｍａｃｈｉｎｅ  ｔｏ  Ｍａｃｈｉｎｅ）デバイス等である。Ｍ２Ｍデバイスは、例えば、上記のデバイスに加え、産業機器、車、ヘルスケア機器、家電等を含む。
【００２２】
また、端末１は、例えば、自動車や鉄道の車両に搭載された通信装置であってもよい。自動車や鉄道の車両に搭載された端末１は、当該自動車や鉄道の車両に関する種々の情報（例えば、自動車や車両の位置や、速度、加速度）を含む情報を通知可能である。
【００２３】
図１において、第１の実施形態の通信システムは、基地局２として、例えば、マクロセル基地局２Ａと、スモールセル基地局２Ｂとを含む。マクロセル基地局２Ａは、高送信電力で広い範囲をカバーする基地局である。一方、スモールセル基地局３は、低送信電力で狭い範囲をカバーする基地局である。スモールセル基地局２Ｂは、例えば、フェムトセル基地局を含む。フェムトセル基地局は、例えば、マクロセル基地局２Ａの無線品質が劣化する屋内に設置される。なお、第１の実施形態の通信システムに含まれる基地局２は、マクロセル基地局２Ａ、および、スモールセル基地局２Ｂに限られず、例えば複数のマクロセル基地局２Ａ（又は、複数のスモールセル基地局２Ｂ）が含まれていてもよい。
【００２４】
また、第１の実施形態の通信システムは、基地局２として、例えば、基地局２Ｂと、無線ＬＡＮ（Ｌｏｃａｌ  Ａｒｅａ  Ｎｅｔｗｏｒｋ）のアクセスポイントとを含んでいてもよい。この場合、端末１は、例えば、アクセスポイントと接続し、キャリアのコア網を介さずに、インターネット等のネットワークにアクセスしてもよい。
【００２５】
図１に例示された各ネットワークノードは、所定の信号処理を実行する。各ネットワークノードは、例えば、信号処理に関する以下の機能を含む。
【００２６】
ＰＧＷ４：パケットを処理する機能（Ｕｓｅｒ−Ｐｌａｎｅ機能）、通信に応じた課金状態を管理する機能（ＰＣＥＦ：Ｐｏｌｉｃｙ  ａｎｄ  Ｃｈａｒｇｉｎｇ  Ｅｎｆｏｒｃｅｍｅｎｔ  Ｆｕｎｃｔｉｏｎ）、ＱｏＳ等のポリシーを制御する機能（ＰＣＲＦ：Ｐｏｌｉｃｙ  ａｎｄ  Ｃｈａｒｇｉｎｇ  Ｒｕｌｅ  Ｆｕｎｃｔｉｏｎ）。
【００２７】
ＳＧＷ３：パケットを処理する機能（Ｕｓｅｒ−Ｐｌａｎｅ機能）、制御シグナリングを処理する機能（Ｃ−Ｐｌａｎｅ機能）、通信を傍受するための合法的傍受（ＬＩ：Ｌａｗｆｕｌ  Ｉｎｔｅｒｃｅｐｔｉｏｎ）機能。
【００２８】
ＭＭＥ５：制御シグナリングを処理する機能（Ｃ−Ｐｌａｎｅ機能）、ＨＳＳ（Ｈｏｍｅ  Ｓｕｂｓｃｒｉｂｅｒ  Ｓｅｒｖｅｒ）と連携して、通信システムの加入者情報を管理する機能。
【００２９】
図２は、第１の実施形態における端末１の構成例を示す図である。図２に示すように、端末１は、メッセージ生成部１０と、通信部１１とを含む。メッセージ生成部１０は、
メッセージ生成部１０は、基地局２に対して送信する測定報告（Ｍｅａｓｕｒｅｍｅｎｔ  Ｒｅｐｏｒｔ）を作成する。測定報告（Ｍｅａｓｕｒｅｍｅｎｔ  Ｒｅｐｏｒｔ）は、当該基地局２から指定された測定対象（Ｍｅａｓｕｒｅｍｅｎｔ  Ｏｂｊｅｃｔ）や報告条件（Ｒｅｐｏｒｔ  Ｃｏｎｆｉｇｕｒａｔｉｏｎ）を含む。測定対象とは、端末１が測定すべき無線セルの周波数（ＥＡＲＦＣＮ）やＩＤ（ＰＣＩ：Ｐｈｙｓｉｃａｌ  Ｃｅｌｌ  ＩＤ）等を示す情報である。
【００３０】
第１の実施形態において、メッセージ生成部１０は、基地局２に対して送信する測定報告に、所定の情報を含ませる。所定の情報は、例えば、端末１の移動速度に関する情報である。所定の情報は、例えば、端末１の加速度に関する情報であってもよい。所定の情報は、例えば、端末１と複数の基地局２間の通信の切り替えに伴って発生した、ハンドオーバの回数であってもよい。
【００３１】
通信部１１は、メッセージ生成部１０が作成した測定報告を、基地局２に対して送信する。
【００３２】
図３は、第１の実施形態における基地局２の構成例を示す図である。図３に示すように、基地局２は、制御部２０と、通信部２１とを含む。
【００３３】
制御部２０は、端末１からの測定報告に基づいて、当該端末１が接続する基地局２を決定する。制御部２０は、例えば、測定報告に含まれる基地局２からの信号に関する情報に基づいて、当該端末１が接続する基地局２を決定する。制御部２０は、例えば、測定報告に含まれる基地局２からの信号の受信電力（ＲＳＲＰ：Ｒｅｆｅｒｅｎｃｅ  Ｓｉｇｎａｌ  Ｒｅｃｅｉｖｅｄ  Ｐｏｗｅｒ)または受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）に基づいて決定された優先度（以下、「第１の優先度」と記載する。）に応じて、当該端末１と接続させる基地局２を決定可能である。
【００３４】
受信電力は、基地局２が送信したパイロット信号やリファレンス信号の端末１における受信強度を表す。例えば、ＵＭＴＳにおけるＣＰＩＣＨ  ＲＳＣＰ（Ｃｏｍｍｏｎ  Ｐｉｌｏｔ  Ｃｈａｎｎｅｌ  Ｒｅｃｅｉｖｅｄ  Ｓｉｇｎａｌ  Ｃｏｄｅ  Ｐｏｗｅｒ）、ＬＴＥにおけるＲＳＲＰ等が含まれる。受信品質は、例えば、受信電力または希望波対干渉波電力比が挙げられる。希望波対干渉波電力比は、端末１が基地局２から受信した信号の受信電力と、干渉電力や熱雑音電力との比率を表す。例えば、ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）、ＳＩＲ（Ｓｉｇｎａｌ  ｔｏ  Ｉｎｔｅｒｆｅｒｅｎｃｅ  Ｒａｔｉｏ）、ＵＭＴＳにおけるＣＰＩＣＨ  Ｅｃ／Ｎｏ、ＬＴＥにおけるＲＳＲＱ等が含まれる。
【００３５】
制御部２０は、例えば、端末１から受信した測定報告において、マクロセル基地局２Ａが送信した信号の受信電力より、スモールセル基地局２Ｂが送信した信号の受信電力の方が高ければ、端末１に接続させる基地局２として、スモールセル基地局２Ｂを決定可能である。一方、制御部２０は、例えば、端末１から受信した測定報告において、スモールセル基地局２Ｂが送信した信号の受信電力より、マクロセル基地局２Ａが送信した信号の受信電力の方が高ければ、端末１に接続させる基地局２として、マクロセル基地局２Ａを決定可能である。
【００３６】
なお、第１の実施形態において、制御部２０は、端末１からの測定報告に基づいて決定される第１の優先度に基づいて、端末１と接続する基地局２を決定（選択）してもよい。
【００３７】
制御部２０は、端末１からの測定報告に基づいて、第１の優先度を決定する。具体的には、制御部２０は、端末１からの測定報告に基づいて、第１の優先度において、優先度の高い基地局２を決定する。制御部２０は、例えば、測定報告に含まれる基地局２からの信号に関する情報に基づいて、第１の優先度において、優先度の高い基地局２を決定する。制御部２０は、例えば、測定報告に含まれる“基地局２からの信号の受信電力の大きさ”に基づいて、第１の優先度において、優先度の高い基地局２を決定する。
【００３８】
制御部２０は、例えば、第１の優先度において、測定報告に含まれる“基地局２からの信号の受信電力の大きさ”が高い基地局２を、高優先の基地局２と決定する。制御部２０は、例えば、端末１から受信した測定報告において、マクロセル基地局２Ａが送信した信号の受信電力より、スモールセル基地局２Ｂが送信した信号の受信電力の方が高ければ、第１の優先度において、スモールセル基地局２を高優先の基地局２とする。また、制御部２０は、端末１から受信した測定報告において、マクロセル基地局２Ａが送信した信号の受信電力より、スモールセル基地局２Ｂが送信した信号の受信電力の方が高ければ、第１の優先度において、スモールセル基地局２を高優先の基地局２とする。
【００３９】
第１の実施形態において、端末１が送信する測定報告は、端末１の位置に関する情報（位置情報）を含んでいてもよい。端末１の位置情報は、例えば、当該端末１の緯度及び経度である。端末１の位置情報は、例えば、端末１に備わるＧＰＳ（Ｇｌｏｂａｌ  Ｐｏｓｉｔｉｏｎｉｎｇ  Ｓｙｓｔｅｍ）機能により測定可能である。制御部２０は、測定報告に含まれる端末１の位置情報に基づいて決定された第１の優先度に応じて、当該端末１と接続させる基地局２を決定してもよい。例えば、制御部２０は、マクロセル基地局２Ａとスモールセル基地局２Ｂのうち端末１により近い基地局２を、当該端末１に接続させる基地局２として決定する。制御部２０は、例えば、マクロセル基地局２Ａとスモールセル基地局２Ｂのうち端末１により近い基地局２を、第１の優先度において優先度の高い基地局２とする。
【００４０】
制御部２０は、決定した第１の優先度に基づいて、端末１に接続させる基地局２を決定する。制御部２０は、例えば、第１の優先度において優先度の高い基地局２と、端末１とを接続させるための処理を実行する。制御部２０は、例えば、第１の優先度において、スモールセル基地局２Ａの優先度が高い場合、当該スモールセル基地局２Ａと端末１とを接続させるための処理を実行する。一方、制御部２０は、例えば、第１の優先度において、マクロセル基地局２の優先度が高い場合、当該マクロ基地局２と端末１とを接続させるための処理を実行する。
【００４１】
第１の実施形態において、基地局２の制御部２０は、所定の条件が満たされたことに応じて、端末１からの測定報告から決定される第１の優先度とは異なる第２の優先度に基づいて、当該端末１を接続させる基地局２を決定可能である。
【００４２】
基地局２の制御部２０は、例えば、端末１からの測定報告に含まれる所定の情報に基づいて、第２の優先度を決定する。制御部２０は、例えば、当該所定の情報が予め定められた閾値以上であることに応じて、第１の優先度とは異なる第２の優先度に基づいて、当該端末１を接続させる基地局２を決定可能である。制御部２０は、例えば、端末１からの測定報告に含まれる当該端末１の移動速度が所定の閾値以上であることに応じて、第２の優先度に基づいて、当該端末１を接続させる基地局２を決定可能である。
【００４３】
制御部２０は、例えば、端末１の移動速度が所定の閾値以上であることに応じて、第１の優先度とは異なる第２の優先度に基づいて、当該端末１と接続する基地局を決定可能である。制御部２０は、例えば、端末１の加速度が所定の閾値以上であることに応じて、第１の優先度とは異なる第２の優先度に基づいて、当該端末１と接続する基地局を決定可能である。制御部２０は、例えば、端末１のハンドオーバの回数が所定の回数以上であることに応じて、第１の優先度とは異なる第２の優先度に基づいて、当該端末１と接続する基地局を決定可能である。
【００４４】
第１の実施形態において、第２の優先度における高優先度の基地局２は、例えば、当該基地局２のセル半径に応じて決定される。例えば、第２の優先度において、セル半径が相対的に広い基地局２の優先度が高く、セル半径が相対的に狭い基地局２の優先度は低くなる。また、例えば、第２の優先度において、セル半径が所定の閾値よりも広い基地局２を一律に高い優先度の基地局２とし、セル半径が所定の閾値よりも狭い基地局を一律に低い優先度の基地局２としてもよい。所定の閾値は、例えば、５００メートルである。第２の優先度において、高優先度の基地局２は、例えば、当該基地局２の種別に応じて決定されてもよい。
【００４５】
第１の実施形態において、第２の優先度は、優先度の高い基地局２が予め定められていてもよい。例えば、第２の優先度において、マクロセル基地局２Ａとスモールセル基地局２Ｂとのうち、例えば、マクロセル基地局２Ａが高優先度と予め定められていてもよい。なお、第２の優先度における高優先度の基地局２は、オペレータ等により適宜変更可能であってもよい。
【００４６】
図４は、第１の実施形態における端末１と基地局２との接続関係を示す構成例である。図４の例は、第１の実施形態において、基地局２の制御部２０が、例えば、第１の優先度に基づいて、当該端末１を接続させる基地局２を決定する実施形態である。なお、図４の例では、第１の優先度は、端末１と接続する基地局２０のうち、セルの下り回線参照信号の受信電力又は受信品質が最大となる基地局２０が高優先度である。
【００４７】
図４において、端末１は、マクロセル基地局２Ａまたはスモールセル基地局２Ｂに接続可能である。端末１が接続する基地局２は、例えば、マクロセル基地局２Ａとスモールセル基地局２Ｂとから選択される。無線通信システムとしてＬＴＥ方式を適用する場合、端末１は、セルの下り回線参照信号の受信電力または受信品質が最大になるセルに接続先セルを切り替えるハンドオーバによって、接続する基地局が変更される。
【００４８】
以下では、マクロセル基地局２Ａに接続している端末１が、スモールセル基地局２Ｂに移動する場合を例にして、ＬＴＥにおけるハンドオーバの処理の流れを説明する。
【００４９】
まず、マクロセル基地局２Ａは、端末１に対して、測定報告の条件を指定する。測定報告の条件には、測定対象や報告条件（Ｒｅｐｏｒｔ  Ｃｏｎｆｉｇｕｒａｔｉｏｎ）等が含まれる。報告条件は、端末１が測定した情報をいつ報告するかというトリガ条件を示す情報である。トリガ条件には、所定周期とイベントトリガの２種類がある。イベントトリガには、例えば、Ｅｖｅｎｔ  Ａ１、Ｅｖｅｎｔ  Ａ２、Ｅｖｅｎｔ  Ａ２Ａ、Ｅｖｅｎｔ  Ａ４、Ｅｖｅｎｔ  Ａ５、Ｅｖｅｎｔ  Ａ６、Ｅｖｅｎｔ  Ｂ１、Ｅｖｅｎｔ  Ｂ２等の種類がある。
【００５０】
次に、端末１は、マクロセル基地局２Ａより指定された測定報告の条件に従い、測定報告を実施する。測定報告を受信したマクロセル基地局２Ａは、端末１についてハンドオーバの必要性があると判定した場合、スモールセル基地局２Ｂに対してハンドオーバ要求（Ｈａｎｄｏｖｅｒ  Ｒｅｑｕｅｓｔ）を送信する。スモールセル基地局２Ｂからハンドオーバの実行を許可された場合、マクロセル基地局２Ａは、端末１に対してハンドオーバ命令（Ｈａｎｄｏｖｅｒ  Ｃｏｍｍａｎｄ）を送信する。ハンドオーバ命令を受信した端末１は、スモールセル基地局２Ｂとの間で無線リンクを確立し、マクロセル基地局２Ａに対してハンドオーバ完了（Ｈａｎｄｏｖｅｒ  Ｃｏｎｆｉｒｍ）を通知する。
【００５１】
このように、通信中の端末１は、ハンドオーバによって接続する基地局をスムーズに切り替え、無線セルを跨って移動する場合であっても、通信の途絶時間を最小化して通信を継続することができる。
【００５２】
しかしながら、端末１が、マクロセル基地局２Ａとスモールセル基地局２Ｂとの間で、ハンドオーバを繰り返すと、当該ハンドオーバによって、当該ハンドオーバの処理を実行する基地局２やＭＭＥ５等のネットワークノードの処理負荷が増加する要因となる。そこで、実施形態１では、所定の条件を満たしたことに応じて、基地局２の制御部２０が、第１の優先度とは異なる第２の優先度に基づいて、端末１と接続する基地局２を選択可能にすることにより、ハンドオーバの回数を低減し、基地局２やＭＭＥ５等の処理負荷の上昇を防止する。
【００５３】
図５は、第１の実施形態における端末１と基地局２との接続関係を示す他の構成例である。図５において、端末１は、スモールセル基地局２Ｂのセル内に在圏しており、当該スモールセル基地局２Ｂと接続可能である。図５の例では、基地局２の制御部２０は、第１の優先度とは異なる第２の優先度に基づいて、端末１と接続する基地局２０を選択する。
【００５４】
以下では、第２の優先度における高い優先度の基地局２が、マクロセル基地局２Ａである場合を例にとって説明する。制御部２０は、例えば、端末１からの測定報告に含まれる当該端末１の移動速度が所定の閾値以上であった（所定の閾値より速い）場合、端末１がスモールセル基地局２Ｂのセルに在圏している場合であっても、第２の優先度に基づいて、当該端末１をマクロセル基地局２Ａに接続させる。
【００５５】
また、制御部２０は、例えば、端末１からの測定報告に含まれる当該端末１の加速度が所定の閾値以上であった場合、端末１がスモールセル基地局のセルに在圏している場合であっても、第２の優先度に基づいて、当該端末１をマクロセル基地局２Ａに接続させる。
【００５６】
また、制御部２０は、例えば、端末１からの測定報告に含まれるハンドオーバの回数が所定の閾値以上であった場合、端末１がスモールセル基地局のセルに在圏している場合であっても、第２の優先度に基づいて、当該端末１をマクロセル基地局２Ａに接続させる。
【００５７】
端末１は、スモールセル基地局２Ｂより指定された測定報告の条件に従い、測定報告を実施する。端末１は、例えば、測定報告の送信タイミングや当該測定報告に含める情報（受信品質や受信強度、所定の情報など）などの条件を、スモールセル基地局２Ｂから通知され、当該通知された条件に基づいて、測定報告を実施する。
【００５８】
端末１から測定報告を受信したスモールセル基地局２Ｂは、当該測定報告に含まれる所定に情報に基づいて、所定の条件を満たしたか否かを判断する。スモールセル基地局２Ｂは、例えば、当該所定の情報が予め定められた閾値以上であるか否かを判断する。スモールセル基地局２Ｂは、例えば、測定報告に含まれる端末１の移動速度が、所定の閾値以上であるか否かを判断する。
【００５９】
スモールセル基地局２Ｂは、例えば、所定の条件を満たしたことに応じて、第２の優先度に基づいて、当該端末１が接続する基地局２を決定する。スモールセル基地局２Ｂは、例えば、所定の条件を満たしたことに応じて、第２の優先度に基づいて、当該端末１をマクロセル基地局２Ａに接続すると決定する。
【００６０】
スモールセル基地局２Ｂは、端末１をマクロセル基地局２Ａに接続すると決定したことに応じて、マクロセル基地局２Ａに対してハンドオーバ要求を送信する。マクロセル基地局２Ａからハンドオーバの実行を許可された場合、スモールセル基地局２Ｂは、端末１に対してハンドオーバ命令を送信する。
【００６１】
ハンドオーバ命令を受信した端末１は、マクロセル基地局２Ａとの間で無線リンクを確立する。端末１は、マクロセル基地局２Ａとの間の無線リンクが確立したことに応じて、スモールセル基地局２Ｂに対してハンドオーバ完了を通知する。
【００６２】
このように、端末１がスモールセル基地局２Ｂのセル内に在圏している場合であっても、所定の条件を満たしたことに応じて、ハンドオーバによって当該端末１をマクロセル基地局２Ａに接続させる。
【００６３】
上記のとおり、第１の実施形態では、基地局２の制御部２０が、端末１が所定の条件を満たしたことに応じて、第１の優先度とは異なる第２の優先度に基づいて、当該端末１と接続する基地局２を選択する。したがって、例えば、端末１がスモールセル基地局２Ｂのセルに在圏している場合であっても、第２の優先度に基づいて、当該端末１をマクロセル基地局２Ａに接続させることができる。そのため、第１の実施形態では、端末１のハンドオーバの回数を低減でき、基地局２やＭＭＥ５等の処理負荷の上昇を防止することが可能となる。
【００６４】
図６は、第１の実施形態における基地局２の動作例を示すフローチャートである。
【００６５】
基地局２の制御部２０が、端末１から測定報告を受信する（Ｓ１−１）。
【００６６】
制御部２０は、測定報告に含まれる所定の情報に基づいて、端末１が所定の条件を満たしたか否かを判断する（Ｓ１−２）。制御部２０は、例えば、端末１からの測定報告に含まれる当該端末１の移動速度が、所定の閾値以上であるか否かを判断する。
【００６７】
制御部２０は、端末１が所定の条件を満たしたと判断した場合（Ｓ１−２のＹＥＳ）、第２の優先度に基づいて、当該端末１が接続する基地局２を決定する（Ｓ１−３）。例えば、第２の優先度において、スモールセル基地局２Ｂよりもマクロセル基地局２Ａが高優先度の場合、制御部２０は、当該端末１とマクロセル基地局２Ａとを接続するように制御する。例えば、制御部２０は、端末１についてハンドオーバを実行し、当該端末１をマクロセル基地局２Ａと接続させる。
【００６８】
一方、制御部２０は、端末１が所定の条件を満たしていないと判断した場合（Ｓ１−２のＮＯ）、第１の優先度に基づいて、端末１と接続する基地局２を決定する（Ｓ１−４）。例えば、第１の優先度において受信電力の大きい基地局２が高優先である場合には、制御部２０は、例えば、マクロセル基地局２Ａの受信電力より、スモールセル基地局２Ｂの受信電力の方が高ければ、第１の優先度において、スモールセル基地局２を高優先とする。
【００６９】
制御部２０は、第１の優先度に基づいて、当該端末１が接続する基地局２を決定する（Ｓ１−４）。制御部２０は、例えば、第１の優先度に基づいて、当該端末１が接続する基地局２を、スモールセル基地局２Ｂと決定する。
【００７０】
なお、第１の実施形態において、基地局２の制御部２０の代わりに、ＭＭＥ５の制御部５０が、端末１が所定の条件を満たしたことに応じて、第１の優先度とは異なる第２の優先度に基づいて、当該端末１と接続する基地局２を選択してもよい。
【００７１】
図７は、第１の実施形態におけるＭＭＥ５の構成例を示す。図７に例示するように、ＭＭＥ５は、制御部５０と信号処理部５１とを含む。
【００７２】
制御部５０は、Ｃ−Ｐｌａｎｅに相当する機能を備える。通信用のセッションの設定・解放、ハンドオーバの制御等などの制御シグナリングを処理する機能を有する。制御部５０は、信号処理部５１を介して、制御シグナリングを送受信する。  ＭＭＥ５の制御部５０が端末１と接続する基地局２を選択する場合、当該制御部５０は、基地局２の制御部２０の機能の一部又は全部を備える。
【００７３】
図８は、第１の実施形態におけるＭＭＥ５の動作例を示すフローチャートである。
【００７４】
ＭＭＥ５は、基地局２からＮＡＳメッセージを受信する（Ｓ２−１）。なお、基地局２の制御部２０が送信するＮＡＳメッセージは、端末１からの測定報告に含まれる所定の情報を含む。
【００７５】
ＭＭＥ５の制御部５０は、ＮＡＳメッセージに含まれる所定の情報に基づいて、端末１が所定の条件を満たしたか否かを判断する（Ｓ２−２）。制御部５０は、例えば、端末１からの測定報告に含まれる当該端末１の移動速度が、所定の閾値以上であるか否かを判断する。
【００７６】
制御部５０は、端末１が所定の条件を満たしたと判断した場合（Ｓ２−２のＹＥＳ）、第２の優先度に基づいて、当該端末１が接続する基地局２を決定し（Ｓ２−３）、当該決定した基地局２と端末１とを接続させるための要求を、基地局２に送信する（Ｓ２−４）。例えば、第２の優先度において、スモールセル基地局２Ｂよりもマクロセル基地局２Ａが高優先度の場合、制御部５０は、当該端末１とマクロセル基地局２Ａとを接続させるための要求を、基地局２に送信する。
【００７７】
一方、制御部５０は、端末１が所定の条件を満たしていないと判断した場合（Ｓ２−２のＮＯ）、第１の優先度に基づいて、端末１と接続する基地局２を決定する（Ｓ２−５）。例えば、第１の優先度において受信電力の大きい基地局２が高い優先度の基地局２である場合、制御部５０は、マクロセル基地局２Ａよりもスモールセル基地局２Ｂの受信電力の方が高ければ、端末１と接続させる基地局２を、スモールセル基地局２Ｂと決定する。
【００７８】
制御部５０は、決定した基地局２と端末１とを接続させるための要求を、基地局２に送信する（Ｓ２−６）。例えば、制御部５０は、当該端末１とマクロセル基地局２Ａとを接続させるための要求を、基地局２に送信する。
【００７９】
上記の通り、第１の実施形態では、基地局２又はＭＭＥ５は、所定の条件が満たされたことに応じて、端末１からの測定報告から決定される第１の優先度とは異なる第２の優先度に基づいて、当該端末１を接続させる基地局２を決定可能である。したがって、例えば、第１の優先度において受信電力の大きい基地局２が高優先である場合であっても、所定の条件を満たしたことに応じて、基地局２又はＭＭＥ５は、マクロセル基地局２Ｂが高優先である第２の優先度に基づいて、端末１に接続する基地局２を選択可能となる。したがって、スモールセル基地局２Ｂに接続している端末１が、スモールセル基地局２Ｂのセル内に在圏していた場合（スモール基地局２Ｂの受信電力の方が大きい場合）であっても、所定の条件を満たしたことに応じてハンドオーバを実行し、マクロセル基地局２Ａに接続する。したがって、無線端末がスモールセル基地局２Ｂのカバー範囲への出入りを頻繁に行っても（すなわち、端末１にとって受信電力の大きい基地局２が頻繁に入れ替わっても）、端末１は第２の優先度に基づいてマクロセル基地局２Ａと固定的に接続することになるので、その都度ハンドオーバが発生することがなく、当該ハンドオーバの処理を実行する基地局２やＭＭＥ５等のネットワークノードの処理負荷の増加を抑制することができる。
【００８０】
＜第２の実施形態＞
本発明の第２の実施形態は、所定の条件が、端末１の移動速度または加速度が所定の閾値以上である場合の実施形態である。なお、第２の実施形態の技術は、第１の実施形態、後述の実施形態のいずれにも適用可能である。
【００８１】
第２の実施形態の通信システムは、図１に例示する第１の実施形態の通信システムと同様であるので、詳細な説明は省略される。また、第２の実施形態の端末１の構成例は、図２に例示する第１の実施形態の端末１の構成例と同様であるため、詳細な説明は省略される。
【００８２】
図９は、第２の実施形態における端末１と基地局２との接続関係を示す構成例である。図４において、端末１は、マクロセル基地局２Ａまたはスモールセル基地局２Ｂに接続可能である。端末１が接続する基地局２は、例えば、マクロセル基地局２Ａとスモールセル基地局２Ｂとから選択される。
【００８３】
ここで、図９に示すように、端末１が複数のスモールセル基地局２Ｂのカバー範囲を移動する場合、当該複数のスモールセル基地局２Ｂ間において、当該端末１のハンドオーバを実行しなければならない。また、当該複数のスモールセル基地局２Ｂのカバー範囲と、マクロセル基地局２Ａのカバー範囲とを跨いで移動する場合には、当該複数のスモールセル基地局２Ｂ間、及び、スモールセル基地局２Ｂとマクロセル基地局２Ｂ間において、当該端末１のハンドオーバを実行しなければならない。端末１の移動速度が速いと、当該端末１が一つのスモールセル基地局２Ｂのカバー範囲に在圏する時間は短い場合もあり、そのような場合には、当該端末１のハンドオーバの回数が増加してしまう。このことは、当該ハンドオーバの処理を実行する基地局２やＭＭＥ５等のネットワークノードの処理負荷が増加する要因となる。
【００８４】
そこで、本発明の第２の実施形態では、基地局２又はＭＭＥ５が、端末１の移動速度が所定の閾値以上であることに応じて、第２の優先度に基づき、端末１が接続する基地局２を決定する。ここで、例えば、第２の優先度において、マクロセル基地局２Ａがスモールセル基地局２Ｂよりも高い優先度の基地局２の場合、基地局２は、端末１と接続する基地局２をマクロセル基地局２Ａと決定する。これにより、端末１は、スモールセル基地局２Ｂのカバー範囲に在圏している場合であっても、マクロセル基地局２Ａと接続することになる。よって、端末１が複数のスモールセル基地局２Ｂのカバー範囲を出入りする場合においても、当該端末１はマクロセル基地局２Ａと接続することになるので、当該端末１についてのハンドオーバの回数を抑制することができる。したがって、本発明の第２の実施形態の通信システムは、ハンドオーバの処理を実行する基地局２やＭＭＥ５等のネットワークノードの処理負荷の増加を抑制することができる。
【００８５】
なお、第２の実施形態における基地局２は、所定の種別の端末１と接続可能な専用基地局２Ｃを含んでいてもよい。専用基地局２Ｃは、所定の種別の端末１と接続可能である。専用基地局２Ｃは、例えば、ＭＴＣデバイスである端末１と接続可能である。専用基地局２Ｃは、例えば、所定のサービスを提供する端末１と接続可能である。専用基地局２Ｃは、例えば、自動車や鉄道の車両に搭載されている端末１と接続可能な基地局である。専用基地局２Ｃは、例えば、端末１が自動車や鉄道の車両に搭載されており、当該自動車や鉄道の車両に関する種々の情報（位置や速度、加速度）を通知可能な端末１と接続可能である。
【００８６】
専用基地局２Ｃは、例えば、自動車が走行する道路に沿って設けられていてもよいし、鉄道の線路に沿って設けられていてもよい。また、専用基地局２Ｃは、例えば、交差点などの所定の領域に設けられていてもよい。
【００８７】
第２の実施形態における通信システムが専用基地局２Ｃを含む場合において、基地局２は、所定の種別の端末１が所定の条件を満たした場合に、当該端末１を専用基地局２Ｃに接続させる。所定の種別である端末１を専用基地局２Ｃに接続することによって、当該所定の種別である端末１からのトラヒックを、専用基地局２Ｃにオフロードすることができる。
【００８８】
以下では、基地局２が、端末１の移動速度が所定の閾値以上であることに応じて、第２の優先度に基づき、端末１が接続する基地局２を決定する場合を例にして説明する。なお、基地局２の代わりに、ＭＭＥ５が、端末１の移動速度が所定の閾値以上であることに応じて、第２の優先度に基づき、端末１が接続する基地局２を決定してもよい。
【００８９】
第２の実施形態における基地局２の構成例は、図３に示す第１の実施形態における基地局２の構成例と同様であるため、詳細な説明は省略される。
【００９０】
基地局２の通信部２１は、例えば、端末１から、当該端末１の移動速度又は加速度に関する情報の通知を受信する。基地局２の通信部２１は、例えば、端末１が当該基地局２に定期的に送信する測定報告に含まれる情報として、当該端末１の移動速度又は加速度に関する情報を受信する。なお、基地局２の通信部２１は、測定報告とは別に、端末１の移動速度又は加速度に関する情報を受信してもよい。
【００９１】
基地局２０の制御部２０は、例えば、端末１の移動速度又は加速度に基づいて、当該端末１が所定の条件を満たしたか否かを判定する。当該所定の条件は、例えば、端末１の移動速度又は加速度が所定の閾値を超えたか否かであってもよい。
【００９２】
制御部２０は、例えば、端末１の移動速度が所定の閾値を超えてからの経過時間を計測し、当該計測時間が所定の時間を超えた場合に、当該端末１が所定の条件を満たしたと判定してもよい。制御部２０は、例えば、端末１の加速度が所定の閾値を超えた回数を計測し、当該回数が所定の回数を超えた場合に、当該端末１が所定の条件を満たしたと判定してもよい。
【００９３】
基地局２の制御部２０は、第１の優先度に基づいて、端末１と接続する基地局２を決定する。第１の優先度は、例えば、セルの下り回線参照信号の受信電力または受信品質が最大となる基地局が高優先である。よって、制御部２０は、例えば、第１の優先度に基づいて、端末１と接続する基地局２を、端末１においてセルの下り回線参照信号の受信電力または受信品質が最大となる基地局２と決定する。
【００９４】
基地局２の制御部２０は、端末１が所定の条件を満たした場合に、第１の優先度とは異なる第２の優先度に基づいて、当該端末１と接続する基地局２を決定する。第２の優先度は、例えば、セルの半径がより大きい基地局２が高優先である。よって、制御部２０は、端末１が所定の条件を満たした場合に、当該端末１と接続する基地局２を、セルの半径がより大きい基地局２と決定する。また、例えば、第２の優先度においてマクロセル基地局２Ａが高優先度である場合、制御部２０は、端末１が所定の条件を満たしたことに応じて、該端末１とマクロセル基地局２Ａとを接続させる。
【００９５】
基地局２の制御部２０は、例えば、第２の優先度に基づいて端末１と接続する基地局２を決定した場合において、端末１の移動速度又は加速度が所定の閾値未満になったことに応じて、再度、第１の優先度に基づいて、端末１に接続する基地局２を決定可能である。第１の優先度が、例えば、端末１における受信電力が高い基地局２を高優先度とする場合、制御部２０は、端末１の移動速度が所定の閾値未満になったことに応じて、端末１と接続する基地局２を、端末１において受信電力が最大となる基地局２と決定する。
【００９６】
図１０は、第２の実施形態における基地局２の動作例を示すフローチャートである。下記の例では、所定の条件が、端末１の移動速度が所定の閾値を超えたことである場合を例にして説明する。なお、所定の条件は、端末１の加速度が所定の閾値を超えたことである場合であってもよい。
【００９７】
基地局２の制御部２０が、端末１から測定報告を受信する（Ｓ３−１）。
【００９８】
制御部２０は、端末１からの測定報告に含まれる当該端末１の移動速度が、所定の閾値以上であるか否かを判断する（Ｓ３−２）。
【００９９】
制御部２０は、端末１の移動速度が所定の閾値以上である場合（Ｓ３−２のＹＥＳ）、第２の優先度に基づいて、当該端末１が接続する基地局２を決定する（Ｓ３−３）。例えば、第２の優先度において、スモールセル基地局２Ｂよりもマクロセル基地局２Ａが高優先度の場合、制御部２０は、端末１の移動速度が所定の閾値以上である場合に、当該端末１とマクロセル基地局２Ａとを接続するように制御する。例えば、制御部２０は、端末１についてハンドオーバを実行し、当該端末１をマクロセル基地局２Ａと接続させる。
【０１００】
一方、制御部２０は、端末１の移動速度が所定の閾値未満である場合（Ｓ３−２のＮＯ）、第１の優先度に基づいて、端末１と接続する基地局２を決定する（Ｓ３−４）。例えば、第１の優先度において受信電力の大きい基地局２が高優先である場合には、制御部２０は、例えば、マクロセル基地局２Ａの受信電力より、スモールセル基地局２Ｂの受信電力の方が高ければ、端末１とスモールセル基地局２Ｂとを接続する。
【０１０１】
図１１は、第２の実施形態における通信システムの動作例を示すシーケンス図である。なお、図１１では、所定の条件が、端末１の移動速度が所定の閾値を超えたことである場合を例にして説明する。なお、所定の条件は、端末１の加速度が所定の閾値を超えたことであってもよい。なお、所定の条件は、他の実施形態に例示するように、例えば、端末１のハンドオーバの回数が所定の閾値を超えたことや、端末１が所定の領域に在圏すること、などであってもよい。
【０１０２】
基地局２は、例えば、所定の間隔で、報知情報を通知する（Ｓ４−０）。
【０１０３】
端末１は、通知された報知情報に基づいて、例えば、受信電力が高いスモールセル基地局２Ｂに、“ＲＲＣ  Ｃｏｎｎｅｃｔｉｏｎ  Ｒｅｑｕｅｓｔ”を送信する（Ｓ４−１）。端末１は、送信する“ＲＲＣ  Ｃｏｎｎｅｃｔｉｏｎ  Ｒｅｑｕｅｓｔ”に、当該端末１の移動速度に関する情報を含める。
【０１０４】
スモールセル基地局２Ｂの制御部２０は、受信した“ＲＲＣ  Ｃｏｎｎｅｃｔｉｏｎ  Ｒｅｑｕｅｓｔ”に含まれる端末１の移動速度に関する情報に基づいて、当該端末１と接続する基地局２を選択する（Ｓ４−２）。スモールセル基地局２Ｂの制御部２０は、例えば、端末１の移動速度が所定の閾値以上であるか否かを判定する。スモールセル基地局２Ｂの制御部２０は、例えば、端末１の移動速度が所定の閾値未満であることに応じて、当該端末１とスモールセル基地局２Ｂとを接続させると決定する。
【０１０５】
スモールセル基地局２Ｂの制御部２０は、例えば、端末１とスモールセル基地局２Ｂとを接続させると決定した場合に、ＭＭＥ５に対して、ＮＡＳメッセージを送信する（Ｓ４−３）。
【０１０６】
端末１は、例えば、報知情報を通知されたことに応じて（Ｓ４−０）、受信電力が高いスモールセル基地局２Ｂに、“ＲＲＣ  Ｃｏｎｎｅｃｔｉｏｎ  Ｒｅｑｕｅｓｔ”を送信する（Ｓ４−４）。端末１は、送信する“ＲＲＣ  Ｃｏｎｎｅｃｔｉｏｎ  Ｒｅｑｕｅｓｔ”に、当該端末１の移動速度に関する情報を含める。
【０１０７】
スモールセル基地局２Ｂの制御部２０は、受信した“ＲＲＣ  Ｃｏｎｎｅｃｔｉｏｎ  Ｒｅｑｕｅｓｔ”に含まれる端末１の移動速度に関する情報に基づいて、当該端末１と接続する基地局２を選択する（Ｓ４−５）。スモールセル基地局２Ｂの制御部２０は、例えば、端末１の移動速度が所定の閾値以上であるか否かを判定する。スモールセル基地局２Ｂの制御部２０は、例えば、端末１の移動速度が所定の閾値以上であることに応じて、当該端末１とマクロセル基地局２Ａとを接続させると決定する。
【０１０８】
スモールセル基地局２Ｂの制御部２０は、端末１とマクロセル基地局２Ａとを接続させると決定したことに応じて、端末１に対して、“ＲＲＣ  Ｃｏｎｎｅｃｔｉｏｎ  Ｒｅｑｕｅｓｔ”が拒否されたことを示す拒否通知を送信する（Ｓ４−６の“ＮＡＣＫ（Ｎｅｇａｔｉｖｅ  ＡＣＫｎｏｗｌｅｄｇｅｍｅｎｔ）”）。なお、スモールセル基地局２Ｂの制御部２０は、端末１に通知する拒否通知に、当該端末１が接続可能なマクロセル基地局２Ａに関する情報を含めて送信してもよい。
【０１０９】
端末１は、スモールセル基地局２Ｂから“ＲＲＣ  Ｃｏｎｎｅｃｔｉｏｎ  Ｒｅｑｕｅｓｔ”が拒否されたことを示す拒否通知を受信したことに応じて、他の基地局２（例えば、マクロセル基地局２Ａ）に、“ＲＲＣ  Ｃｏｎｎｅｃｔｉｏｎ  Ｒｅｑｕｅｓｔ”を送信する（Ｓ４−７）。
【０１１０】
マクロセル基地局２Ａは、受信した“ＲＲＣ  Ｃｏｎｎｅｃｔｉｏｎ  Ｒｅｑｕｅｓｔ”に含まれる端末１の移動速度に関する情報に基づいて、当該端末１と接続する基地局２を選択する（Ｓ４−８）。マクロセル基地局２Ａの制御部２０は、例えば、端末１の移動速度が所定の閾値以上であるか否かを判定する。マクロセル基地局２Ａの制御部２０は、例えば、端末１の移動速度が所定の閾値以上であることに応じて、当該端末１とマクロセル基地局２Ａとを接続させると決定する。
【０１１１】
マクロセル基地局２Ａの制御部２０は、例えば、端末１とマクロセル基地局２Ａとを接続させると決定した場合に、ＭＭＥ５に対して、ＮＡＳメッセージを送信する（Ｓ４−９）。
【０１１２】
図１２は、第２の実施形態における通信システムの他の動作例を示すシーケンス図である。図１２は、ＭＭＥ５が、端末１と接続する基地局２を決定する場合における、通信システムの動作例である。なお、図１２では、所定の条件が、端末１の移動速度が所定の閾値を超えたことである場合を例にして説明する。なお、所定の条件は、端末１の加速度が所定の閾値を超えたことであってもよい。なお、所定の条件は、他の実施形態に例示するように、例えば、端末１のハンドオーバの回数が所定の閾値を超えたことや、端末１が所定の領域に在圏すること、などであってもよい。
【０１１３】
基地局２は、例えば、所定の間隔で、報知情報を通知する（Ｓ５−０）。
【０１１４】
端末１は、通知された報知情報に基づいて、例えば、受信電力が高いスモールセル基地局２Ｂに、“ＲＲＣ  Ｃｏｎｎｅｃｔｉｏｎ  Ｒｅｑｕｅｓｔ”を送信する（Ｓ５−１）。端末１は、送信する“ＲＲＣ  Ｃｏｎｎｅｃｔｉｏｎ  Ｒｅｑｕｅｓｔ”に、当該端末１の移動速度に関する情報を含める。
【０１１５】
スモールセル基地局２Ｂの制御部２０は、“ＲＲＣ  Ｃｏｎｎｅｃｔｉｏｎ  Ｒｅｑｕｅｓｔ”を受信したことに応じて、ＭＭＥ５に対して、ＮＡＳメッセージを送信する（Ｓ５−２）。スモールセル基地局２Ｂの制御部２０は、送信するＮＡＳメッセージに、端末１の移動速度に関する情報を含める。
【０１１６】
ＭＭＥ５の制御部５０は、受信したＮＡＳメッセージに含まれる端末１の移動速度に関する情報に基づいて、当該端末１と接続する基地局２を選択する（Ｓ５−３）。ＭＭＥ５の制御部５０は、例えば、端末１の移動速度が所定の閾値以上であるか否かを判定する。ＭＭＥ５の制御部５０は、例えば、端末１の移動速度が所定の閾値未満であることに応じて、当該端末１とスモールセル基地局２Ｂとを接続させると決定する。
【０１１７】
ＭＭＥ５の制御部５０は、ＥＰＳベアラの確立手順を開始する（Ｓ５−５の“ＥＰＳ  Ｓｅｓｓｉｏｎ  Ｅｓｔａｂｌｉｓｈｍｅｎｔ”）。ＭＭＥ５によるＥＰＳベアラの確立手順の開始により、ＳＧＷ３、ＰＧＷ４、ＭＭＥ５およびスモールセル基地局２Ｂの間で制御信号が交換される。制御信号が各ノード間で交換されることにより、ＥＰＳベアラが確立される。端末１は、確立されたＥＰＳベアラを介して通信する。スモールセル基地局２Ｂは、端末１に関する通信データを、ＥＰＳベアラを介して送受信する。
【０１１８】
端末１は、例えば、報知情報を通知されたことに応じて（Ｓ５−０）、受信電力が高いスモールセル基地局２Ｂに、“ＲＲＣ  Ｃｏｎｎｅｃｔｉｏｎ  Ｒｅｑｕｅｓｔ”を送信する（Ｓ５−５）。端末１は、送信する“ＲＲＣ  Ｃｏｎｎｅｃｔｉｏｎ  Ｒｅｑｕｅｓｔ”に、当該端末１の移動速度に関する情報を含める。
【０１１９】
スモールセル基地局２Ｂの制御部２０は、“ＲＲＣ  Ｃｏｎｎｅｃｔｉｏｎ  Ｒｅｑｕｅｓｔ”を受信したことに応じて、ＭＭＥ５に対して、ＮＡＳメッセージを送信する（Ｓ５−６）。スモールセル基地局２Ｂの制御部２０は、送信するＮＡＳメッセージに、端末１の移動速度に関する情報を含める。
【０１２０】
ＭＭＥ５の制御部５０は、受信したＮＡＳメッセージに含まれる端末１の移動速度に関する情報に基づいて、当該端末１と接続する基地局２を選択する（Ｓ５−７）。ＭＭＥ５の制御部５０は、例えば、端末１の移動速度が所定の閾値以上であるか否かを判定する。ＭＭＥ５の制御部５０は、例えば、端末１の移動速度が所定の閾値以上であることに応じて、当該端末１とマクロセル基地局２Ａとを接続させると決定する。
【０１２１】
ＭＭＥ５の制御部５０は、端末１とマクロセル基地局２Ａとを接続すると決定したことに応じて、端末１に対して、基地局２の再選択を指示する制御信号を通知する（Ｓ５−８の“Ｒｅｓｅｌｅｃｔｉｏｎ  Ｉｎｄｉｃａｔｉｏｎ”）。基地局２の再選択を指示する制御信号は、例えば、“ＲＲＣ  Ｃｏｎｎｅｃｔｉｏｎ  Ｒｅｑｕｅｓｔ”が拒否されたことを示す拒否通知（ＮＡＣＫ）であってもよい。なお、ＭＭＥ５の制御部５０は、端末１に通知する“Ｒｅｓｅｌｅｃｔｉｏｎ  Ｉｎｄｉｃａｔｉｏｎ”に、当該端末１が接続可能なマクロセル基地局２Ａに関する情報を含めて送信してもよい。
【０１２２】
端末１は、ＭＭＥ５から基地局２の再選択を指示する制御信号（“Ｒｅｓｅｌｅｃｔｉｏｎ  Ｉｎｄｉｃａｔｉｏｎ”）を受信したことに応じて、他の基地局２（例えば、マクロセル基地局２Ａ）に、“ＲＲＣ  Ｃｏｎｎｅｃｔｉｏｎ  Ｒｅｑｕｅｓｔ”を送信する（Ｓ５−９）。
【０１２３】
マクロセル基地局２Ａの制御部２０は、“ＲＲＣ  Ｃｏｎｎｅｃｔｉｏｎ  Ｒｅｑｕｅｓｔ”を受信したことに応じて、ＭＭＥ５に対して、ＮＡＳメッセージを送信する（Ｓ５−１０）。マクロセル基地局２Ａの制御部２０は、送信するＮＡＳメッセージに、端末１の移動速度に関する情報を含めてもよい。
【０１２４】
ＭＭＥ５の制御部５０は、マクロセル基地局２ＡからＮＡＳメッセージを受信したことに応じて、ＥＰＳベアラの確立手順を開始する（Ｓ５−１１の“ＥＰＳ  Ｓｅｓｓｉｏｎ  Ｅｓｔａｂｌｉｓｈｍｅｎｔ”）。ＭＭＥ５によるＥＰＳベアラの確立手順の開始により、ＳＧＷ３、ＰＧＷ４、ＭＭＥ５およびマクロセル基地局２Ａの間で制御信号が交換される。制御信号が各ノード間で交換されることにより、ＥＰＳベアラが確立される。端末１は、確立されたＥＰＳベアラを介して通信する。マクロセル基地局２Ａは、端末１に関する通信データを、ＥＰＳベアラを介して送受信する。
【０１２５】
図１３は、第２の実施形態における通信システムの他の動作例を示すシーケンス図である。図１３は、基地局２が、ＭＭＥ５からの指示に応じて、端末１との間に設定されたＸ２インターフェースを介して、端末１のハンドオーバを実行する場合の動作例である。なお、図１３では、所定の条件が、端末１の移動速度が所定の閾値を超えたことである場合を例にして説明する。なお、所定の条件は、端末１の加速度が所定の閾値を超えたことであってもよい。なお、所定の条件は、他の実施形態に例示するように、例えば、端末１のハンドオーバの回数が所定の閾値を超えたことや、端末１が所定の領域に在圏すること、などであってもよい。
【０１２６】
端末１は、“Ａｔｔａｃｈ  Ｒｅｑｕｅｓｔ”を、接続中のスモールセル基地局２Ｂに送信する（Ｓ６−１）。端末１は、送信する“Ａｔｔａｃｈ  Ｒｅｑｕｅｓｔ”に、当該端末１の移動速度に関する情報を含める。基地局２は、“Ａｔｔａｃｈ  Ｒｅｑｕｅｓｔ”を、ＭＭＥ５に送信する。
【０１２７】
ＭＭＥ５の制御部５０は、“Ａｔｔａｃｈ  Ｒｅｑｕｅｓｔ”を受信したことに応じて、ＥＰＳベアラの確立手順を開始する（Ｓ６−２）。ＭＭＥ５によるＥＰＳベアラの確立手順の開始により、ＳＧＷ３、ＰＧＷ４、ＭＭＥ５および基地局２（Ａ）の間で制御信号が交換される。制御信号が各ノード間で交換されることにより、ＥＰＳベアラが確立される。ＭＴＣデバイス１Ｂは、確立されたＥＰＳベアラを介して通信する。基地局２（Ａ）は、ＭＴＣデバイス１Ｂに関する通信データを、ＥＰＳベアラを介して送受信する。
【０１２８】
ＭＭＥ５の制御部５０は、“Ａｔｔａｃｈ  Ｒｅｑｕｅｓｔ”に含まれる端末１の移動速度に関する情報に基づいて、当該端末１と接続する基地局２を選択する（Ｓ６−３）。ＭＭＥ５の制御部５０は、例えば、端末１の移動速度が所定の閾値以上であるか否かを判定する。ＭＭＥ５の制御部５０は、例えば、端末１の移動速度が所定の閾値以上であることに応じて、当該端末１とマクロセル基地局２Ａとを接続させると決定する。
【０１２９】
制御部５０は、端末１とマクロセル基地局２とを接続させると決定した場合、スモールセル基地局２Ｂに対して、ハンドオーバの実行を指示する制御信号を送信する（Ｓ６−４の“Ｘ２  Ｈａｎｄｏｖｅｒ  Ｉｎｄｉｃａｔｉｏｎ”）。
【０１３０】
スモールセル基地局２Ｂの制御部２０は、ＭＭＥ５からの指示に基づいて、マクロセル基地局２Ａに対してハンドオーバ要求（Ｈａｎｄｏｖｅｒ  Ｒｅｑｕｅｓｔ）を送信する（Ｓ６−５）。
【０１３１】
マクロセル基地局２Ａの制御部２０は、ハンドオーバ要求を受信した場合、スモールセル基地局２Ｂに対して、ハンドオーバ応答（ＡＣＫ）を送信する（Ｓ６−６）。
【０１３２】
スモールセル基地局２Ｂの制御部２０は、ハンドオーバ応答を（ＡＣＫ）を受信したことに応じて、端末１に対して、ハンドオーバ指示（Ｈａｎｄｏｖｅｒ  Ｃｏｍｍａｎｄ）を送信する（Ｓ６−７）。
【０１３３】
端末１は、ハンドオーバ指示を受信したことに応じて、マクロセル基地局２Ａと接続処理を実行する（Ｓ６−８の“Ｈａｎｄｏｖｅｒ”）。
【０１３４】
マクロセル基地局２Ａの制御部２０は、ＭＭＥ５に対して、セッションの切り替えを要求する（Ｓ６−９の“Ｐａｔｈ  Ｓｗｉｔｃｈ  Ｒｅｑｕｅｓｔ”）。
【０１３５】
ＭＭＥ５の制御部５０は、マクロセル基地局２Ａからの要求に応じて、セッションの切り替え処理を実行する（Ｓ６−１０の“Ｓｅｓｓｉｏｎ  Ｍｏｄｉｆｙ”）。ＭＭＥ５の制御部５０は、例えば、ＳＧＷ３に対して、地局２（Ｂ）のアドレス、及び、セッションの識別子であるＴＥＩＤ（Ｔｕｎｎｅｌ  Ｅｎｄｐｏｉｎｔ  Ｉｄｅｎｔｉｆｉｅｒ）を通知し、セッションの更新を要求する。ＭＭＥ５の制御部５０は、例えば、ＳＧＷ３から、セッションの更新応答を受信する。
【０１３６】
図１４は、第２の実施形態における通信システムの他の動作例を示すシーケンス図である。図１４は、基地局２が、端末１との間に設定されたＸ２インターフェースを介して、端末１のハンドオーバを実行する場合の動作例である。なお、図１４では、所定の条件が、端末１の移動速度が所定の閾値を超えたことである場合を例にして説明する。なお、所定の条件は、端末１の加速度が所定の閾値を超えたことであってもよい。なお、所定の条件は、他の実施形態に例示するように、例えば、端末１のハンドオーバの回数が所定の閾値を超えたことや、端末１が所定の領域に在圏すること、などであってもよい。
【０１３７】
端末１は、“Ｍｅａｓｕｒｅｍｅｎｔ  Ｒｅｐｏｒｔ”を、接続中のスモールセル基地局２Ｂに送信する（Ｓ７−１）。端末１は、送信する“Ｍｅａｓｕｒｅｍｅｎｔ  Ｒｅｐｏｒｔ”に、当該端末１の移動速度に関する情報を含める。
【０１３８】
スモールセル基地局２Ｂの制御部２０は、“Ｍｅａｓｕｒｅｍｅｎｔ  Ｒｅｐｏｒｔ”を受信したことに応じて、当該“Ｍｅａｓｕｒｅｍｅｎｔ  Ｒｅｐｏｒｔ”に含まれる端末１の移動速度に関する情報に基づいて、当該端末１と接続する基地局２を選択する（Ｓ７−２）。スモールセル基地局２Ｂの制御部２０は、例えば、端末１の移動速度が所定の閾値以上であるか否かを判定する。スモールセル基地局２Ｂの制御部２０は、例えば、端末１の移動速度が所定の閾値未満であることに応じて、当該端末１とスモールセル基地局２Ｂとを接続させると決定する。
【０１３９】
端末１は、例えば、所定の間隔で、“Ｍｅａｓｕｒｅｍｅｎｔ  Ｒｅｐｏｒｔ”を、接続中のスモールセル基地局２Ｂに送信する（Ｓ７−３）。端末１は、送信する“Ｍｅａｓｕｒｅｍｅｎｔ  Ｒｅｐｏｒｔ”に、当該端末１の移動速度に関する情報を含める。
【０１４０】
スモールセル基地局２Ｂの制御部２０は、“Ｍｅａｓｕｒｅｍｅｎｔ  Ｒｅｐｏｒｔ”を受信したことに応じて、当該“Ｍｅａｓｕｒｅｍｅｎｔ  Ｒｅｐｏｒｔ”に含まれる端末１の移動速度に関する情報に基づいて、当該端末１と接続する基地局２を選択する（Ｓ７−４）。スモールセル基地局２Ｂの制御部２０は、例えば、端末１の移動速度が所定の閾値以上であるか否かを判定する。スモールセル基地局２Ｂの制御部２０は、例えば、端末１の移動速度が所定の閾値以上であることに応じて、当該端末１とマクロセルセル基地局２Ａとを接続させると決定する。
【０１４１】
スモールセル基地局２Ｂの制御部２０は、端末１とマクロセル基地局２とを接続させると決定した場合、マクロセル基地局２Ａに対してハンドオーバ要求（Ｈａｎｄｏｖｅｒ  Ｒｅｑｕｅｓｔ）を送信する（Ｓ７−５）。
【０１４２】
マクロセル基地局２Ａの制御部２０は、ハンドオーバ要求を受信した場合、スモールセル基地局２Ｂに対して、ハンドオーバ応答（ＡＣＫ）を送信する（Ｓ７−６）。
【０１４３】
スモールセル基地局２Ｂの制御部２０は、ハンドオーバ応答を（ＡＣＫ）を受信したことに応じて、端末１に対して、ハンドオーバ指示（Ｈａｎｄｏｖｅｒ  Ｃｏｍｍａｎｄ）を送信する（Ｓ７−７）。
【０１４４】
端末１は、ハンドオーバ指示を受信したことに応じて、マクロセル基地局２Ａと接続処理を実行する（Ｓ７−８の“Ｈａｎｄｏｖｅｒ”）。
【０１４５】
マクロセル基地局２Ａの制御部２０は、ＭＭＥ５に対して、セッションの切り替えを要求する（Ｓ７−９の“Ｐａｔｈ  Ｓｗｉｔｃｈ  Ｒｅｑｕｅｓｔ”）。
【０１４６】
ＭＭＥ５の制御部５０は、マクロセル基地局２Ａからの要求に応じて、セッションの切り替え処理を実行する（Ｓ７−１０の“Ｓｅｓｓｉｏｎ  Ｍｏｄｉｆｙ”）。ＭＭＥ５の制御部５０は、例えば、ＳＧＷ３に対して、地局２（Ｂ）のアドレス、及び、セッションの識別子であるＴＥＩＤ（Ｔｕｎｎｅｌ  Ｅｎｄｐｏｉｎｔ  Ｉｄｅｎｔｉｆｉｅｒ）を通知し、セッションの更新を要求する。ＭＭＥ５の制御部５０は、例えば、ＳＧＷ３から、セッションの更新応答を受信する。
【０１４７】
上記の通り、第２の実施形態では、基地局２の制御部２０は、端末１の移動速度又は加速度が所定の閾値以上であることに応じて、端末１からの測定報告から決定される第１の優先度とは異なる第２の優先度に基づいて、当該端末１を接続させる基地局２を決定可能である。したがって、例えば、第１の優先度において受信電力の大きい基地局２が高優先である場合であっても、所定の条件を満たしたことに応じて、基地局２の制御部２０は、第２の優先度に基づいて、端末１に接続する基地局２を選択可能となる。すなわち、例えば、第２の優先度においてマクロセル基地局２Ａが高優先の場合、制御部２０は、端末１においてスモールセル基地局２Ｂの受信電力が高い場合であっても、端末１とマクロセル基地局２Ａとを接続させることができる。よって、スモールセル基地局２Ｂに接続している端末１が、スモールセル基地局２Ｂのセル内に在圏していた場合（スモール基地局２Ｂの受信電力の方が大きい場合）であっても、所定の条件を満たしたことに応じてハンドオーバを実行し、マクロセル基地局２Ａに接続する。
【０１４８】
したがって、無線端末がスモールセル基地局２Ｂのカバー範囲への出入りを頻繁に行っても（すなわち、端末１にとって受信電力の大きい基地局２が頻繁に入れ替わっても）、端末１は第２の優先度に基づいてマクロセル基地局２Ａと接続することになるので、その都度ハンドオーバが発生することがなく、当該ハンドオーバの処理を実行する基地局やＭＭＥ等のネットワークノードの処理負荷の増加を抑制することができる。
【０１４９】
なお、図１５は、第２の実施形態における通信システムが専用基地局２Ｃを含む場合における、基地局２の動作例を示すフローチャートである。図１５において、専用基地局２Ｃ以外の基地局２は非専用基地局２Ｄであり、例えば、マクロセル基地局２Ａまたはスモールセル基地局２Ｂである。端末１が接続する基地局２は、例えば、専用基地局２Ｃまたは非専用基地局２Ｄとから選択される。
【０１５０】
非専用基地局２Ｄの制御部２０が、端末１から測定報告を受信する（Ｓ８−１）。
【０１５１】
制御部２０は、端末１からの測定報告に基づいて、当該端末１が所定の条件を満たすか否かを判断する（Ｓ８−２）。第２の実施形態において、所定の条件は、例えば、端末１の移動速度が所定の閾値以上か否かである。なお、所定の条件は、例えば、端末１が移動を開始したことや、端末１が所定のエリア（所定の地域）に存在することであってもよい。また、所定の条件は、例えば、所定の種別である端末１の周辺に、所定の種別である他の端末１が存在することであってもよい。
【０１５２】
制御部２０は、端末１が所定の条件を満たす場合（Ｓ８−２のＹＥＳ）、第２の優先度に基づいて、当該端末１が接続する基地局２を決定する（Ｓ８−３）。第２の優先度は、専用基地局２Ｃが高優先であるので、制御部２０は、当該端末１を専用基地局２Ｃと接続させる。
【０１５３】
一方、制御部２０は、端末１が所定の条件を満たさない場合（Ｓ８−２のＮＯ）、第１の優先度に基づいて、端末１と接続する基地局２を決定する（Ｓ８−４）。例えば、制御部２０は、端末１と非専用基地局２Ｄとを接続する。
【０１５４】
上記の通り、第２の実施形態では、通信システムが専用基地局２Ｃを含む場合、所定の種別である端末１は、所定の条件を満たした場合に、専用基地局２Ｃを介して通信を行うことができ、当該端末１の通信をオフロードすることが可能となる。
【０１５５】
＜第３の実施形態＞
本発明の第３の実施形態は、所定の条件が、端末１のハンドオーバの回数が所定の閾値以上である場合の実施形態である。なお、第３の実施形態の技術は、第１の実施形態、第２の実施形態、及び後述の実施形態のいずれにも適用可能である。
【０１５６】
第３の実施形態の通信システムは、図１に例示する第１の実施形態の通信システムと同様であるので、詳細な説明は省略される。また、第３の実施形態の端末１の構成例は、図２に例示する第１の実施形態の端末１の構成例と同様であるため、詳細な説明は省略される。
【０１５７】
図１６は、第３の実施形態における端末１と基地局２との接続関係を示す構成例である。図１６において、端末１は、マクロセル基地局２Ａまたはスモールセル基地局２Ｂに接続可能である。端末１が接続する基地局２は、例えば、マクロセル基地局２Ａとスモールセル基地局２Ｂとから選択される。
【０１５８】
ここで、図１６に示すように、端末１がスモールセル基地局２Ｂのカバー範囲と、マクロセル基地局２Ａのカバー範囲とを交互に移動する場合、当該端末１は、マクロセル基地局２Ａとスモールセル基地局２Ｂとの間で、ハンドオーバを繰り返す必要がある。ハンドオーバが繰り返されることにより、当該ハンドオーバの処理を実行する基地局やＭＭＥ等のネットワークノードの処理負荷が増加する要因となる。
【０１５９】
また、図１７に示すように、端末１が複数のスモールセル基地局２Ｂのカバー範囲を交互に移動する場合、当該端末１は、複数のスモールセル基地局２Ｂの間でハンドオーバを繰り返す必要がある。
【０１６０】
図１６又は図１７のような場合に、端末１の移動速度が速いと、当該端末１がスモールセル基地局２Ｂ（又はマクロセル基地局２Ａ）のカバー範囲に在圏する時間が短い場合もあり、そのような場合には、当該端末１のハンドオーバの回数が増加してしまう。このことは、当該ハンドオーバの処理を実行する基地局やＭＭＥ等のネットワークノードの処理負荷が増加する要因となる。
【０１６１】
そこで、本発明の第３の実施形態では、基地局２又はＭＭＥ５が、端末１のハンドオーバの回数が所定の閾値以上であることに応じて、第２の優先度に基づき、端末１が接続する基地局２を決定する。ここで、例えば、第２の優先度において、マクロセル基地局２Ａがスモールセル基地局２Ｂよりも高優先の場合、基地局２又はＭＭＥ５は、端末１と接続する基地局２をマクロセル基地局２Ａと決定する。これにより、端末１は、スモールセル基地局２Ｂのカバー範囲に在圏している場合であっても、マクロセル基地局２Ａと接続することになる。そうすれば、端末１が複数のスモールセル基地局２Ｂのカバー範囲に出入りしたとしても、当該端末１はマクロセル基地局２Ａと接続することになるので、当該端末１についてのハンドオーバの回数を抑制することができる。したがって、本発明の第２の実施形態の通信システムは、ハンドオーバの処理を実行する基地局２やＭＭＥ５等のネットワークノードの処理負荷の増加を抑制することができる。
【０１６２】
以下では、基地局２が、端末１と接続する基地局２を選択する場合を例にして説明する。なお、本発明の第３の実施形態では、基地局２の代わりにＭＭＥ５が、端末１と接続する基地局２を選択してもよい。
【０１６３】
第２の実施形態における基地局２の構成例は、図３に示す第１の実施形態における基地局２の構成例と同様であるため、詳細な説明は省略される。
【０１６４】
基地局２の通信部２１は、例えば、端末１から、当該端末１のハンドオーバの回数に関する情報の通知を受信する。基地局２の通信部２１は、例えば、端末１が当該基地局２に定期的に送信する測定報告に含まれる情報として、当該端末１のハンドオーバの回数に関する情報を受信する。なお、基地局２の通信部２１は、測定報告とは別に、端末１のハンドオーバの回数に関する情報を受信してもよい。
【０１６５】
ここで、ハンドオーバの回数は、所定の時間内に、端末１がハンドオーバした回数である。所定の時間は、例えば、５分など、任意に決定することができる。なお、ハンドオーバの回数は、所定の時間内のハンドオーバの回数に限られず、当該端末１のハンドオーバの回数の累積値であってもよい。
【０１６６】
また、ハンドオーバの回数は、所定の時間が経過するごとに、リセットしてもよい。また、ハンドオーバの回数は、当該ハンドオーバの回数が所定の閾値（所定の回数）を超えたことに応じて、リセットしてもよい。
【０１６７】
基地局２０の制御部２０は、例えば、端末１のハンドオーバの回数に基づいて、当該端末１が所定の条件（所定の回数）を満たしたか否かを判定する。当該所定の条件は、例えば、端末１のハンドオーバの回数が所定の閾値（所定の回数）を超えたか否かであってもよい。
【０１６８】
基地局２の制御部２０は、第１の優先度に基づいて、端末１と接続する基地局２を決定する。第１の優先度は、例えば、セルの下り回線参照信号の受信電力または受信品質が最大となる基地局が高優先である。よって、制御部２０は、例えば、第１の優先度に基づいて、端末１と接続する基地局２を、端末１においてセルの下り回線参照信号の受信電力または受信品質が最大となる基地局２と決定する。
【０１６９】
基地局２の制御部２０は、端末１が所定の条件を満たした場合に、第１の優先度とは異なる第２の優先度に基づいて、当該端末１と接続する基地局２を決定する。第２の優先度は、例えば、セルの半径がより大きい基地局２が高優先である。よって、制御部２０は、端末１が所定の条件を満たした場合に、当該端末１と接続する基地局２を、セルの半径がより大きい基地局２と決定する。また、例えば、第２の優先度においてマクロセル基地局２Ａが高優先度である場合、制御部２０は、端末１が所定の条件を満たしたことに応じて、該端末１とマクロセル基地局２Ａとを接続させる。
【０１７０】
基地局２の制御部２０は、例えば、第２の優先度に基づいて端末１と接続する基地局２を決定した場合において、端末１のハンドオーバの回数が所定の閾値（所定の回数）未満になったことに応じて、再度、第１の優先度に基づいて、端末１に接続する基地局２を決定可能である。第１の優先度が、例えば、端末１における受信電力が高い基地局２を高優先度とする場合、制御部２０は、端末１の移動速度が所定の閾値未満になったことに応じて、端末１と接続する基地局２を、端末１において受信電力が最大となる基地局２と決定する。
【０１７１】
図１８は、第３の実施形態における基地局２の動作例を示すフローチャートである。
【０１７２】
基地局２の制御部２０が、端末１から測定報告を受信する（Ｓ９−１）。
【０１７３】
制御部２０は、端末１からの測定報告に含まれる当該端末１のハンドオーバの回数が、所定の閾値（所定の回数）以上であるか否かを判断する（Ｓ９−２）。
【０１７４】
制御部２０は、端末１のハンドオーバの回数が所定の閾値（所定の回数）以上である場合（Ｓ９−２のＹＥＳ）、第２の優先度に基づいて、当該端末１が接続する基地局２を決定する（Ｓ９−３）。例えば、第２の優先度において、スモールセル基地局２Ｂよりもマクロセル基地局２Ａが高優先度の場合、制御部２０は、端末１のハンドオーバの回数が所定の閾値（所定の回数）以上である場合に、当該端末１とマクロセル基地局２Ａとを接続するように制御する。例えば、制御部２０は、端末１についてハンドオーバを実行し、当該端末１をマクロセル基地局２Ａと接続させる。
【０１７５】
一方、制御部２０は、端末１のハンドオーバの回数が所定の閾値（所定の回数）未満である場合（Ｓ９−２のＮＯ）、第１の優先度に基づいて、端末１と接続する基地局２を決定する（Ｓ９−４）。例えば、第１の優先度において受信電力の大きい基地局２が高優先である場合には、制御部２０は、例えば、マクロセル基地局２Ａの受信電力より、スモールセル基地局２Ｂの受信電力の方が高ければ、端末１とスモールセル基地局２Ｂとを接続する。
【０１７６】
上記の通り、第３の実施形態では、基地局２の制御部２０は、端末１のハンドオーバの回数が所定の閾値（所定の回数）以上であることに応じて、第１の優先度とは異なる第２の優先度に基づいて、当該端末１を接続させる基地局２を決定可能である。したがって、例えば、第１の優先度において受信電力の大きい基地局２が高優先である場合であっても、所定の条件を満たしたことに応じて、基地局２の制御部２０は、第２の優先度に基づいて、端末１に接続する基地局２を選択可能となる。すなわち、例えば、第２の優先度においてマクロセル基地局２Ａが高優先の場合、制御部２０は、端末１においてスモールセル基地局２Ｂの受信電力が高い場合であっても、端末１とマクロセル基地局２Ａとを接続させることができる。よって、スモールセル基地局２Ｂに接続している端末１が、スモールセル基地局２Ｂのセル内に在圏していた場合（スモール基地局２Ｂの受信電力の方が大きい場合）であっても、ハンドオーバの回数が所定の閾値（所定の回数）を満たしたことに応じてハンドオーバを実行し、マクロセル基地局２Ａに接続する。
【０１７７】
したがって、無線端末がスモールセル基地局２Ｂのカバー範囲への出入りを頻繁に行っても（すなわち、端末１にとって受信電力の大きい基地局２が頻繁に入れ替わっても）、端末１は第２の優先度に基づいてマクロセル基地局２Ａと接続することになるので、その都度ハンドオーバが発生することがなく、当該ハンドオーバの処理を実行する基地局２やＭＭＥ５等のネットワークノードの処理負荷の増加を抑制することができる。
【０１７８】
＜第４の実施形態＞
本発明の第４の実施形態は、所定の条件が、端末１の移動速度または加速度が所定の閾値以上であり、かつ、端末１のハンドオーバの回数が所定の閾値以上である場合の実施形態である。なお、第４の実施形態の技術は、第１の実施形態、第２の実施形態、第３の実施形態及び後述の実施形態のいずれにも適用可能である。
【０１７９】
第４の実施形態の通信システムは、図１に例示する第１の実施形態の通信システムと同様であるので、詳細な説明は省略される。また、第４の実施形態の端末１の構成例は、図２に例示する第１の実施形態の端末１の構成例と同様であるため、詳細な説明は省略される。
【０１８０】
以下では、基地局２が、端末１と接続する基地局２を選択する場合を例にして説明する。なお、本発明の第４の実施形態では、基地局２の代わりにＭＭＥ５が、端末１と接続する基地局２を選択してもよい。
【０１８１】
図１９は、第４の実施形態における端末１と基地局２との接続関係を示す構成例である。図１９において、端末１は、マクロセル基地局２Ａまたはスモールセル基地局２Ｂに接続可能である。端末１が接続する基地局２は、例えば、マクロセル基地局２Ａとスモールセル基地局２Ｂとから選択される。
【０１８２】
ここで、図１９に示すように、端末１とスモールセル基地局２Ｂとが、例えば、電車のような移動体６の中にある場合、端末１の移動速度又は加速度が所定の閾値以上となっても、端末１はハンドオーバを繰り返すことなく、移動体内のスモールセル基地局２Ｂと接続することができる。この場合、端末１の移動速度又は加速度が所定の閾値以上となったことに応じて、端末１をマクロセル基地局２Ａに接続させると、移動体の速度によっては、逆にハンドオーバの回数が増加してしまう。このことは、ハンドオーバの処理を実行する基地局やＭＭＥ等のネットワークノードの処理負荷が増加する要因となる。
【０１８３】
そこで、第４の実施形態では、基地局２は、端末１の移動速度または加速度が所定の閾値以上となり、かつ、端末１のハンドオーバの回数が所定の閾値以上となった場合に、第１の優先度とは異なる第２の優先度に基づいて、端末１が接続する基地局２を選択する。これにより、基地局２は、端末１の移動速度又は加速度が所定の閾値以上となっても、ハンドオーバの回数が所定の閾値（所定の回数）未満であれば、第１の優先度に基づいて端末１が接続する基地局２を選択するため、端末１が移動体内のスモールセル基地局２Ｂと接続する場合に、ハンドオーバの回数が増加することを防止できる。したがって、本発明の第４の実施形態の通信システムは、ハンドオーバの処理を実行する基地局２やＭＭＥ５等のネットワークノードの処理負荷の増加を抑制することができる。
【０１８４】
第４の実施形態における基地局２の構成例は、図３に示す第１の実施形態における基地局２の構成例と同様であるため、詳細な説明は省略される。
【０１８５】
基地局２の通信部２１は、例えば、端末１から、当該端末１の移動速度又は加速度に関する情報の通知を受信する。また、基地局２の通信部２１は、端末１から、当該端末１のハンドオーバの回数に関する情報の通知を受ける。基地局２の通信部２１は、例えば、端末１が当該基地局２に定期的に送信する測定報告に含まれる情報として、当該端末１の移動速度又は加速度に関する情報、及び、ハンドオーバの回数に関する情報を受信する。なお、基地局２の通信部２１は、測定報告とは別に、端末１の移動速度又は加速度に関する情報、及び、ハンドオーバの回数に関する情報を受信してもよい。
【０１８６】
基地局２０の制御部２０は、例えば、端末１の移動速度または加速度が所定の閾値以上であり、かつ、端末１のハンドオーバの回数が所定の閾値以上である場合に、当該端末１が所定の条件を満たしたか否かを判定する。
【０１８７】
基地局２の制御部２０は、第１の優先度に基づいて、端末１と接続する基地局２を決定する。第１の優先度は、例えば、セルの下り回線参照信号の受信電力または受信品質が最大となる基地局が高優先である。よって、制御部２０は、例えば、第１の優先度に基づいて、端末１と接続する基地局２を、端末１においてセルの下り回線参照信号の受信電力または受信品質が最大となる基地局２と決定する。
【０１８８】
基地局２の制御部２０は、端末１の移動速度または加速度が所定の閾値以上であり、かつ、端末１のハンドオーバの回数が所定の閾値以上である場合に、第１の優先度とは異なる第２の優先度に基づいて、当該端末１と接続する基地局２を決定する。第２の優先度は、例えば、セルの半径がより大きい基地局２が高優先である。よって、制御部２０は、端末１の移動速度または加速度が所定の閾値以上であり、かつ、端末１のハンドオーバの回数が所定の閾値以上である場合に、当該端末１と接続する基地局２を、セルの半径がより大きい基地局２と決定する。また、例えば、第２の優先度においてマクロセル基地局２Ａが高優先度である場合、制御部２０は、端末１の移動速度または加速度が所定の閾値以上であり、かつ、端末１のハンドオーバの回数が所定の閾値以上である場合に、該端末１とマクロセル基地局２Ａとを接続させる。
【０１８９】
図２０は、第４の実施形態における基地局２の動作例を示すフローチャートである。  基地局２の制御部２０が、端末１から測定報告を受信する（Ｓ１０−１）。
【０１９０】
制御部２０は、端末１からの測定報告に含まれる当該端末１の移動速度又は加速度が、所定の閾値以上であるか否かを判断する（Ｓ１０−２）。
【０１９１】
制御部２０は、端末１の移動速度又は加速度が所定の閾値以上である場合（Ｓ１０−２のＹＥＳ）、端末１からの測定報告に含まれる当該端末１のハンドオーバの回数が所定の閾値以上か否かを判断する（Ｓ１０−３）。
【０１９２】
制御部２０は、端末１の移動速度又は加速度が所定の閾値未満である場合（Ｓ１０−２のＮＯ）、第１の優先度に基づいて、端末１と接続する基地局２を決定する（Ｓ１０−４）。例えば、第１の優先度において受信電力の大きい基地局２が高優先である場合には、制御部２０は、例えば、マクロセル基地局２Ａの受信電力より、スモールセル基地局２Ｂの受信電力の方が高ければ、端末１とスモールセル基地局２Ｂとを接続する。
【０１９３】
制御部２０は、端末１のハンドオーバの回数が所定の閾値（所定の回数）以上である場合（Ｓ１０−３のＹＥＳ）、第２の優先度に基づいて、当該端末１が接続する基地局２を決定する（Ｓ１０−５）。例えば、第２の優先度において、スモールセル基地局２Ｂよりもマクロセル基地局２Ａが高優先度の場合、制御部２０は、端末１とマクロセル基地局２Ａとを接続するように制御する。例えば、制御部２０は、端末１についてハンドオーバを実行し、当該端末１をマクロセル基地局２Ａと接続させる。
【０１９４】
一方、制御部２０は、端末１のハンドオーバの回数が所定の閾値（所定の回数）未満である場合（Ｓ１０−３のＮＯ）、第１の優先度に基づいて、端末１と接続する基地局２を決定する（Ｓ１０−４）。例えば、第１の優先度において受信電力の大きい基地局２が高優先である場合には、制御部２０は、例えば、マクロセル基地局２Ａの受信電力より、スモールセル基地局２Ｂの受信電力の方が高ければ、端末１とスモールセル基地局２Ｂとを接続する。
【０１９５】
上記の通り、第４の実施形態では、基地局２は、端末１の移動速度または加速度が所定の閾値以上となり、かつ、端末１のハンドオーバの回数が所定の閾値以上となった場合に、第１の優先度とは異なる第２の優先度に基づいて、端末１が接続する基地局２を選択する。これにより、基地局２は、端末１の移動速度又は加速度が所定の閾値以上となっても、ハンドオーバの回数が所定の閾値（所定の回数）未満であれば、第１の優先度に基づいて端末１が接続する基地局２を選択するため、ハンドオーバの回数が増加することを防止できる。したがって、本発明の第４の実施形態の通信システムは、ハンドオーバの処理を実行する基地局やＭＭＥ等のネットワークノードの処理負荷の増加を抑制することができる。
【０１９６】
＜第５の実施形態＞
本発明の第５の実施形態は、第２の優先度において、端末１と接続可能な基地局２のうち、セル半径がより小さい基地局２（すなわち、スモールセル基地局２Ｂ）の優先度が高い場合の実施形態である。なお、第５の実施形態の技術は、第１の実施形態、第２の実施形態、第３の実施形態、及び、第４の実施形態のいずれにも適用可能である。
【０１９７】
以下では、基地局２が、端末１と接続する基地局２を選択する場合を例にして説明する。なお、本発明の第５の実施形態では、基地局２の代わりにＭＭＥ５が、端末１と接続する基地局２を選択してもよい。  図２１は、第５の実施形態における端末１と基地局２との接続関係を示す構成例である。図２１において、端末１は、マクロセル基地局２Ａまたはスモールセル基地局２Ｂに接続可能である。端末１が接続する基地局２は、例えば、マクロセル基地局２Ａとスモールセル基地局２Ｂとから選択される。
【０１９８】
ここで、図２１に示すように、端末１が複数のスモールセル基地局２Ｂの各々のカバー範囲内を移動する場合、端末１がマクロセル基地局２Ａと接続可能であっても、当該複数のスモールセル基地局２Ｂと接続させた方がよい場合がある。例えば、道路沿い又は線路沿いに複数設置されたスモールセル基地局２Ｂがある場合、自動車内の端末１をスモールセル基地局２Ｂ間でハンドオーバさせることにより、マクロセル基地局２Ａへのハンドオーバを低減できる。これにより、端末１について、スモールセル基地局２Ｂとマクロセル基地局２Ａとの間におけるハンドオーバを防止できる。
【０１９９】
第５の実施形態における基地局２の構成例は、図３に示す第１の実施形態における基地局２の構成例と同様であるため、詳細な説明は省略される。
【０２００】
基地局２の制御部２０は、第１の優先度に基づいて、端末１と接続する基地局２を決定する。第１の優先度は、例えば、セルの下り回線参照信号の受信電力または受信品質が最大となる基地局が高優先である。よって、制御部２０は、例えば、第１の優先度に基づいて、端末１と接続する基地局２を、端末１においてセルの下り回線参照信号の受信電力または受信品質が最大となる基地局２と決定する。
【０２０１】
基地局２の制御部２０は、端末１が所定の条件を満たした場合に、第１の優先度とは異なる第２の優先度に基づいて、当該端末１と接続する基地局２を決定する。第２の優先度は、例えば、セルの半径がより小さい基地局２（例えば、スモールセル基地局２Ｂ）が高い優先度の基地局２である。よって、制御部２０は、端末１が所定の条件を満たした場合に、当該端末１と接続する基地局２を、セルの半径がより小さい基地局２と決定する。
【０２０２】
図２２は、第５の実施形態における基地局２の動作例を示すフローチャートである。
【０２０３】
基地局２の制御部２０が、端末１から測定報告を受信する（Ｓ１１−１）。
【０２０４】
制御部２０は、端末１からの測定報告に基づいて、当該端末１が所定の条件を満たすか否かを判断する（Ｓ１１−２）。
【０２０５】
制御部２０は、端末１が所定の条件を満たす場合（Ｓ１１−２のＹＥＳ）、第２の優先度に基づいて、当該端末１が接続する基地局２を決定する（Ｓ１１−３）。第２の優先度は、セルの半径がより小さい基地局２（すなわち、スモールセル基地局２Ｂ）が高優先であるので、制御部２０は、当該端末１をスモールセル基地局２Ｂと接続させる。
【０２０６】
一方、制御部２０は、端末１が所定の条件を満たさない場合（Ｓ１１−２のＮＯ）、第１の優先度に基づいて、端末１と接続する基地局２を決定する（Ｓ１１−４）。例えば、第１の優先度において受信電力の大きい基地局２が高優先である場合には、制御部２０は、例えば、スモールセル基地局２Ｂの受信電力より、マクロセルセル基地局２Ａの受信電力の方が高ければ、端末１とマクロセルセル基地局２Ａとを接続する。
【０２０７】
上記の通り、第５の実施形態では、基地局２は、端末１がマクロセル基地局２Ａと接続可能であっても、スモールセル基地局２Ｂと接続させる。よって、例えば、道路沿いや線路沿いに複数設置されたスモールセル基地局２Ｂがある場合などに、端末１が当該複数のスモールセル基地局２Ｂとだけ接続するようになる。これにより、端末１について、スモールセル基地局２Ｂとマクロセル基地局２Ａとの間におけるハンドオーバを防止でき、当該ハンドオーバの処理を実行する基地局やＭＭＥ等のネットワークノードの処理負荷を低減することが可能となる。
【０２０８】
以上、本発明の実施形態を説明したが、本発明は、上記したそれぞれの実施形態に限定されるものではない。本発明は、各実施形態の変形・置換・調整に基づいて実施できる。また、本発明は、各実施形態を任意に組み合わせて実施することもできる。即ち、本発明は、本明細書の全ての開示内容、技術的思想に従って実現できる各種変形、修正を含む。また、本発明は、ＳＤＮ（Ｓｏｆｔｗａｒｅ−Ｄｅｆｉｎｅｄ  Ｎｅｔｗｏｒｋ）の技術分野にも適用可能である。
【０２０９】
また、本発明において、端末１又は基地局（ｅＮＢ）２のコンピュータ、ＣＰＵ（Ｃｅｎｔｒａｌ  Ｐｒｏｃｅｓｓｉｎｇ  Ｕｎｉｔ）又はＭＰＵ（Ｍｉｃｒｏ−Ｐｒｏｃｅｓｓｉｎｇ  Ｕｎｉｔ）等が、上述した各実施形態の機能を実現するソフトウェア（プログラム）を実行してもよい。端末１又は基地局（ｅＮＢ）２は、例えばＣＤ−Ｒ（Ｃｏｍｐａｃｔ  Ｄｉｓｃ  Ｒｅｃｏｒｄａｂｌｅ）等の各種記憶媒体又はネットワークを介して、上述した各実施形態の機能を実現するソフトウェア（プログラム）を取得してもよい。端末１又は基地局（ｅＮＢ）２が取得するプログラムや該プログラムを記憶した記憶媒体は、本発明を構成することになる。なお、該ソフトウェア（プログラム）は、例えば、端末１又は基地局（ｅＮＢ）２に含まれる所定の記憶部に、予め記憶されていてもよい。端末１又は基地局（ｅＮＢ）２のコンピュータ、ＣＰＵ又はＭＰＵ等は、取得したソフトウェア（プログラム）のプログラムコードを読み出して実行してもよい。したがって、端末１又は基地局（ｅＮＢ）２は、上述した各実施形態における端末１又は基地局（ｅＮＢ）２の処理と同一の処理を実行する。
【符号の説明】
【０２１０】
１  端末
２基地局
２Ａ  マクロセル基地局
２Ｂ  スモールセル基地局
３  Ｓ−ＧＷ
４  Ｐ−ＧＷ
５  ＭＭＥ
６  移動体
１０  メッセージ生成部
１１  通信部
２０  制御部
２１  通信部
５０  制御部
５１  信号処理部
【図１】
2017038155.tif 000003
【図２】
2017038155.tif 000004
【図３】
2017038155.tif 000005
【図４】
2017038155.tif 000006
【図５】
2017038155.tif 000007
【図６】
2017038155.tif 000008
【図７】
2017038155.tif 000009
【図８】
2017038155.tif 000010
【図９】
2017038155.tif 000011
【図１０】
2017038155.tif 000012
【図１１】
2017038155.tif 000013
【図１２】
2017038155.tif 000014
【図１３】
2017038155.tif 000015
【図１４】
2017038155.tif 000016
【図１５】
2017038155.tif 000017
【図１６】
2017038155.tif 000018
【図１７】
2017038155.tif 000019
【図１８】
2017038155.tif 000020
【図１９】
2017038155.tif 000021
【図２０】
2017038155.tif 000022
【図２１】
2017038155.tif 000023
【図２２】
2017038155.tif 000024